(57)【要約】【課題】冷媒の流動音を低減することができる双方向絞り付電磁弁を提供すること。【解決手段】電磁コイル１６への通電により可動鉄芯２６が固定鉄芯１２に吸着して連通孔２５、環状通路２３、連通孔２２からなるバイパス路を閉塞可能にし、このバイパス路に並置される除湿絞り装置を、冷媒が通過する通路の両端に設けられた突部３２，３３と、冷媒の流れ方向に応じてシャフト３０にガイドされて左右に移動するスリーブ３１とで構成する。絞り通路は、突部３２，３３の内径とスリーブ３１の両端の外径とで決まる環状の形状を有し、従来の小径の絞り通路に比べ、冷媒の濡れ面積が大きくなって流速を減らせるので、流動音を低減することができる。【選択図】        図３
2004183748.tif 000002
【特許請求の範囲】
【請求項１】
除湿絞り装置と前記除湿絞り装置に並置されたバイパス路を開閉するよう切り換える電磁弁とを備えた双方向絞り付電磁弁において、
前記除湿絞り装置は、冷媒が通過する通路の両端で内側に突出して円形の穴を形成する第１および第２の突部と、前記第１および第２の突部と同心円の外形を有し前記冷媒の流れ方向に進退自在に配置されて前記冷媒の流れ方向に応じて前記第１または第２の突部の中に位置したときに環状の絞り通路が形成されるようにした棒状部材とを有することを特徴とする双方向絞り付電磁弁。
【請求項２】
前記第１および第２の突部の内径および／または前記棒状部材の前記冷媒の流れ方向両端の外径を変えて、前記冷媒の流れ方向に応じて前記環状の絞り通路の断面積を変えるようにしたことを特徴とする請求項１記載の双方向絞り付電磁弁。
【請求項３】
前記棒状部材は、前記第１および第２の突部の中心を結ぶ軸線の位置に配置されたシャフトにガイドされて前記冷媒の流れ方向に進退自在になっていることを特徴とする請求項１記載の双方向絞り付電磁弁。
【請求項４】
前記棒状部材は、半径方向外方に突出され、かつ円周方向に均等配置された複数の脚部を有し、前記第１および第２の突部の中心を結ぶ軸線上に位置決めしながら前記冷媒の流れ方向に進退自在になっていることを特徴とする請求項１記載の双方向絞り付電磁弁。
【請求項５】
前記除湿絞り装置および前記バイパス路を開閉する前記電磁弁のバイパス路開閉部をパイプ形状のボディ内に収容し、前記電磁弁の電磁コイルおよびヨークを前記ボディの外に配置し、かつ、前記ヨークの一部を着脱可能にして、前記電磁コイルを取り外し可能にしたことを特徴とする請求項１記載の双方向絞り付電磁弁。
【請求項６】
前記電磁弁のバイパス路開閉部は、前記電磁コイルへの非通電時に可動鉄芯が固定鉄芯から離れる方向に付勢されていて前記パイパス路を全開にし、通電時には前記可動鉄芯が前記固定鉄芯に吸着されて前記パイパス路を全閉にするようにしたことを特徴とする請求項５記載の双方向絞り付電磁弁。
【発明の詳細な説明】
【０００１】
【発明の属する技術分野】
本発明は双方向絞り付電磁弁に関し、特に空気調和機にて二分割された室内熱交換器の間に配置され除湿運転時に除湿絞り装置として使用される双方向絞り付電磁弁に関する。
【０００２】
【従来の技術】
空気調和機において、冷房運転モードおよび暖房運転モードに加えてそれぞれの運転モードにて同時に除湿運転ができるようにしたものが知られている。
【０００３】
図８は除湿運転が可能な冷凍サイクルを示すシステム図である。
この冷凍サイクルは、圧縮機１、四方弁２、室外熱交換器３、および膨張弁４により空気調和機の室外機を構成し、２つの室内熱交換器５ａ，５ｂおよび双方向絞り付電磁弁６により空気調和機の室内機を構成している。双方向絞り付電磁弁は、除湿絞り装置６ａとこの除湿絞り装置６ａをバイパスするよう構成された電磁弁６ｂとを有している。
【０００４】
冷房運転モードでは、四方弁２は破線で示した経路に切り換えられ、双方向絞り付電磁弁６は電磁弁６ｂによって除湿絞り装置６ａはバイパスするよう全開状態に切り換えられている。圧縮機１にて圧縮された高温・高圧の冷媒は、四方弁２を介して室外熱交換器３に入り、ここで外気との熱交換により凝縮される。凝縮された冷媒は、膨張弁４にて断熱膨張されることにより低温・低圧の冷媒となって室内熱交換器５ｂ、双方向絞り付電磁弁６の電磁弁６ｂおよび室内熱交換器５ａを流れ、このときに室内熱交換器５ａ，５ｂにおいて室内空気と熱交換されて蒸発される。室内熱交換器５ａ，５ｂで蒸発された冷媒は、四方弁２を介して圧縮機１に戻る。
【０００５】
暖房運転モードでは、四方弁２は冷媒が冷房運転モードの場合と逆方向に流れるように実線で示した経路に切り換えられ、双方向絞り付電磁弁６は電磁弁６ｂによって除湿絞り装置６ａはバイパスするよう全開状態に切り換えられている。圧縮機１にて圧縮された高温・高圧の冷媒は、四方弁２を介して室内熱交換器５ａに導入され、双方向絞り付電磁弁６の電磁弁６ｂを介して室内熱交換器５ｂへ流れる。冷媒は、室内熱交換器５ａ，５ｂを通過するときに室内空気と熱交換されて凝縮される。凝縮された冷媒は、膨張弁４にて断熱膨張されることにより低温・低圧の冷媒となって室外熱交換器３に入り、ここで外気との熱交換により蒸発される。蒸発された冷媒は、四方弁２を介して圧縮機１に戻る。
【０００６】
冷房運転モードで除湿運転を行うときには、四方弁２は破線で示した経路に切り換えられ、膨張弁４は全開状態に制御され、双方向絞り付電磁弁６は電磁弁６ｂを全閉するように切り換えられている。圧縮機１にて圧縮された高温・高圧の冷媒は、四方弁２を介して室外熱交換器３に入り、ここで外気との熱交換により凝縮される。室外熱交換器３を出た冷媒は、全開状態の膨張弁４を通過して室内熱交換器５ｂに入り、ここで室内空気と熱交換されてさらに凝縮される。凝縮された冷媒は、双方向絞り付電磁弁６の除湿絞り装置６ａを通ることにより断熱膨張されて低温・低圧の冷媒となり、室内熱交換器５ａに入る。室内熱交換器５ａでは、冷媒は室内空気と熱交換されて蒸発され、四方弁２を介して圧縮機１に戻る。このとき、下流側の室内熱交換器５ａで室内空気の冷却と除湿とを行い、上流側の室内熱交換器５ｂで室内空気の加熱を行うことで、室内に吹き出す空気の温度をあまり下げることなく湿度を下げることを可能にしている。
【０００７】
暖房運転モードで除湿運転を行うときには、四方弁２は実線で示した経路に切り換えられ、膨張弁４は全開状態に制御され、双方向絞り付電磁弁６は電磁弁６ｂを全閉するように切り換えられている。圧縮機１にて圧縮された高温・高圧の冷媒は、四方弁２を介して室内熱交換器５ａに導入され、室内空気を加熱する。室内熱交換器５ａで凝縮された冷媒は、双方向絞り付電磁弁６の除湿絞り装置６ａを通ることにより断熱膨張されて低温・低圧の冷媒となり、室内熱交換器５ｂに入って室内空気の冷却と除湿とを行う。室内熱交換器５ｂで蒸発された冷媒は、全開状態の膨張弁４を通過して室外熱交換器３でさらに蒸発され、四方弁２を介して圧縮機１に戻る。このときも、上流側の室内熱交換器５ａで室内空気の加熱を行い、下流側の室内熱交換器５ｂで室内空気の冷却と除湿とを行うことで、暖房しながらの除湿を可能にしている。
【０００８】
ここで、双方向絞り付電磁弁６は、除湿運転を行わない冷暖房運転モードのときに冷媒が除湿絞り装置６ａをバイパスさせるように動作し、除湿運転を行う冷暖房運転モードのときには冷媒が除湿絞り装置６ａを通過させるように動作するもので、いくつか提案されている（たとえば、特許文献１参照。）。
【０００９】
特許文献１に提案されている電磁弁では、双方向に冷媒が流れる通路の途中に弁座とソレノイド作動でその弁座に対して接離自在に設けられた弁体とを備え、弁座にはその周方向に複数個の逃げ溝を形成している。これにより、通常の冷暖房運転モードでは、弁体が弁座から離れた位置に制御され、通路は全開状態になって２つの室内熱交換器５ａ，５ｂをともに凝縮器または蒸発器として作用させる。除湿運転を行うときには、弁体は弁座に着座され、通路は逃げ溝からなる絞り状態になって２つの室内熱交換器５ａ，５ｂの一方を凝縮器、他方を蒸発器として作用させるようにしている。
【００１０】
【特許文献１】
特開２００２−１６２１３２号公報（段落番号〔００１４〕，図１）
【００１１】
【発明が解決しようとする課題】
しかしながら、従来の双方向絞り付電磁弁は、除湿運転時においては弁座に形成した逃げ溝と着座時の弁体とで構成される除湿絞り装置を気液混合状態の冷媒が通過するが、このときに冷媒の流動音が発生するという問題があった。特に、双方向絞り付電磁弁は、室内機に設置されるものであるため、できるだけ流動音のような騒音・異音が発生しないものが望まれている。また、弁座に形成される逃げ溝はその形状から製作時の寸法管理が難しいという問題もある。
【００１２】
本発明はこのような点に鑑みてなされたものであり、冷媒の流動音を低減することができる双方向絞り付電磁弁を提供することを目的とする。
【００１３】
【課題を解決するための手段】
本発明では上記問題を解決するために、除湿絞り装置と前記除湿絞り装置に並置されたバイパス路を開閉するよう切り換える電磁弁とを備えた双方向絞り付電磁弁において、前記除湿絞り装置は、冷媒が通過する通路の両端で内側に突出して円形の穴を形成する第１および第２の突部と、前記第１および第２の突部と同心円の外形を有し前記冷媒の流れ方向に進退自在に配置されて前記冷媒の流れ方向に応じて前記第１または第２の突部の中に位置したときに環状の絞り通路が形成されるようにした棒状部材とを有することを特徴とする双方向絞り付電磁弁が提供される。
【００１４】
このような双方向絞り付電磁弁によれば、除湿絞り装置における絞り通路の形状が環状になるようにしている。これにより、環状の絞り通路を通過する冷媒の流速が下がり、流動音を低減することができるので、異音発生の少ない室内機を構成できる。
【００１５】
【発明の実施の形態】
以下、本発明の実施の形態を図面を参照して詳細に説明する。
図１は第１の実施の形態に係る双方向絞り付電磁弁の概観を示す正面図、図２は第１の実施の形態に係る双方向絞り付電磁弁を示す右側面図、図３は第１の実施の形態に係る双方向絞り付電磁弁の内部構造を示す図２のａ−ａ矢視断面図である。
【００１６】
この双方向絞り付電磁弁は、除湿絞り装置および電磁弁の弁部を収容するパイプ形状のボディ１１を有している。このボディ１１の一端は、固定鉄芯１２が嵌め込まれて溶接され、その軸線位置には、チューブ１３が溶着されている。固定鉄芯１２の外方端部は、ヨークをなすプレート１４に形成された穴に圧入固定されている。このプレート１４は、ボディ１１と平行に延びる鉄芯１５の一端が固定されており、その鉄芯１５の回りには電磁コイル１６が配置されている。鉄芯１５の他端は、ヨークをなすプレート１７が固定されている。このプレート１７は、ねじ１８によって取り外し可能に鉄芯１５に固定される鉄芯固定部１７ａと、パイプ形状のボディ１１の外側を取り囲むように形成された捲回部１７ｂと、鉄芯固定部１７ａおよび捲回部１７ｂを連結する連結部１７ｃとにより一体に形成されている。このように、プレート１７を取り外し可能にしたことで、電磁コイル１６が断線した場合のように、電磁コイル１６の交換を容易にしている。
【００１７】
ボディ１１の他端は、プラグ１９が嵌め込まれて溶接され、その軸線位置には、チューブ２０が溶着されている。
ボディ１１は、また、その内部に除湿絞り装置および電磁弁の弁部を備えている。すなわち、図３に詳細に示されるように、ボディ１１の一端に固定された固定鉄芯１２は、中心に通路２１を有し、この通路２１は、その途中に四方に穿設された連通孔２２を介して固定鉄芯１２とボディ１１との間に形成される環状通路２３に連通されている。固定鉄芯１２とプラグ１９との間には、両端がそれぞれ固定鉄芯１２およびプラグ１９によって固定された中空シャフト２４が配置されている。この中空シャフト２４は、固定鉄芯１２との固定部近傍にて四方に穿設された連通孔２５を有し、中心の通路は、これらの連通孔２５を介して固定鉄芯１２とボディ１１との間に形成される環状通路２３に連通されている。中空シャフト２４の回りには、この中空シャフト２４をガイドにして軸線方向に進退自在に配置された円筒状の可動鉄芯２６を有している。中空シャフト２４は、プラグ１９側の外径が縮径されていて、その縮径部の空間にスプリング２７が配置されている。このスプリング２７は、一端が中空シャフト２４の縮径部の段部に当接され、他端が可動鉄芯２６のプラグ１９側端面に嵌着されたリング２８に当接されている。これにより、可動鉄芯２６は、固定鉄芯１２から離れる方向に常時付勢された状態にあり、連通孔２５、環状通路２３および連通孔２２で、除湿絞り装置をバイパスするバイパス路を形成するようにしている。
【００１８】
固定鉄芯１２は、また、その中心の通路に除湿絞り装置を有している。すなわち、固定鉄芯１２の中空シャフト２４側端部にホルダ２９が嵌合され、そのホルダ２９の軸線位置にはシャフト３０が固定されている。このシャフト３０の回りには、このシャフト３０をガイドにして軸線方向に進退自在に配置された円筒形のスリーブ３１を有している。このスリーブ３１は、図の右側の外径が大きく、左側の外径が小さく形成されている。シャフト３０の自由端には、ストッパが形成されていて、スリーブ３１がシャフト３０から抜け出ないようにしている。通路２１の途中には、内側に突出して円形の穴を形成する突部３２が固定鉄芯１２と一体に形成され、シャフト３０によって芯決めされたスリーブ３１が図の左端に位置するときに、突部３２とスリーブ３１との間に、突部３２の内径とスリーブ３１の外径とによって規定された環状の隙間が形成され、第１の絞りを構成している。同様に、ホルダ２９にも内側に突出した突部３３が一体に形成されている。この突部３３の内径は、突部３２の内径より大きく形成されており、スリーブ３１が図の右端に位置するときに、突部３３とスリーブ３１との間に、第１の絞りより大きな通路断面積を有する環状の第２の絞りが形成される。また、ホルダ２９には、中空シャフト２４の中心の通路とスリーブ３１が配置されている固定鉄芯１２の中心の通路２１とを連通する連通孔３４が設けられている。
【００１９】
以上の構成の双方向絞り付電磁弁において、まず、電磁コイル１６への通電がないとき、すなわち、空気調和機が冷暖房運転モードにあるときには、図３に示したように、可動鉄芯２６はスプリング２７の付勢力により図の右側に移動してプラグ１９に当接している。これにより、固定鉄芯１２と可動鉄芯２６との間に通路が形成され、電磁弁は全開状態になっている。
【００２０】
ここで、たとえばチューブ２０に冷媒が導入されたとすると、その冷媒は、中空シャフト２４の中心の通路、連通孔２５、固定鉄芯１２の外側の環状通路２３および連通孔２２を通ってチューブ１３へ流れる。このとき、中空シャフト２４の中心の通路の冷媒は、ホルダ２９に形成された連通孔を介してスリーブ３１が配置された通路２１に流入し、スリーブ３１を図の左方向へ押しているので、スリーブ３１は図示の位置にある。このとき、固定鉄芯１２の突部３２とスリーブ３１との間に形成される環状の隙間の流路断面積は、固定鉄芯１２と可動鉄芯２６との間に形成される流路断面積より十分に小さいので、電磁弁はこの第１の絞りをバイパスした状態になる。
【００２１】
一方、チューブ１３に冷媒が導入された場合には、その冷媒は、固定鉄芯１２の通路２１および連通孔２２、環状通路２３、連通孔２５を通って中空シャフト２４の中心の通路に入り、チューブ２０へと流れる。このとき、固定鉄芯１２の通路２１の冷媒は、スリーブ３１を図の右方向へ押し、スリーブ３１とホルダ２９に形成された突部３３との間に環状の隙間を形成する位置にある。このときに突部３３とスリーブ３１との間に形成される環状の隙間の流路断面積は、固定鉄芯１２と可動鉄芯２６との間に形成される流路断面積より十分に小さいので、電磁弁はこの第２の絞りをバイパスした状態になる。
【００２２】
したがって、双方向絞り付電磁弁は、空気調和機が冷房運転モードまたは暖房運転モードにあって電磁コイル１６が非通電状態にあるとき、双方向の冷媒の流れに対して、除湿絞り装置をバイパスするように動作する。
【００２３】
図４は第１の実施の形態に係る双方向絞り付電磁弁の暖房除湿運転時の状態を示す断面図である。
空気調和機が暖房除湿運転をしているときには、電磁コイル１６は通電され、冷媒は四方弁の切り換えによって図の右側のチューブ２０に導入される。電磁コイル１６が通電されると、可動鉄芯２６は、固定鉄芯１２に吸引されて図の左側に移動し、固定鉄芯１２に吸着する。これにより、可動鉄芯２６と固定鉄芯１２との間にあった通路が塞がれることになる。したがって、冷媒はチューブ２０から流れてきても固定鉄芯１２の外側に出ることができないので、このまま中空シャフトの中心の通路からホルダ２９の連通孔３４を通って流れ出ようとする。このとき、シャフト３０に進退自在に保持されたスリーブ３１が冷媒により図の左方向に押されて、固定鉄芯１２の突部３２とスリーブ３１との間に、環状の隙間である第１の絞りを形成する。冷媒は、その第１の絞りを通過するときに断熱膨張して低温・低圧になる。ここで、第１の絞りは、環状の形状を有していることである。これにより、第１の絞りの全周にわたって媒体の流れが一定流となるため、音圧変動の少ない安定した流動音となるだけでなく、絞り通路の濡れ面積が大きくなることから、冷媒の流速が下がって、流動音の音圧を下げることができる。
【００２４】
図５は第１の実施の形態に係る双方向絞り付電磁弁の冷房除湿運転時の状態を示す断面図である。
空気調和機が冷房除湿運転をしているときには、電磁コイル１６は通電され、冷媒は四方弁の切り換えによって図の左側のチューブ１３に導入される。電磁コイル１６が通電されると、可動鉄芯２６は、固定鉄芯１２に吸着して除湿絞り装置のバイパス通路が塞がれる。したがって、チューブ１３に導入された冷媒は、スリーブ３１を図の左方向に押して、ホルダ２９の突部３３とスリーブ３１との間に、第１の絞りより大きな通路断面積を有する環状の第２の絞りを形成している。
【００２５】
このように、この除湿絞り装置では、冷媒の流れ方向によりスリーブ３１の位置が変えられ、これにより暖房除湿運転時と冷房除湿運転時とで絞り通路の断面積を変えて冷媒の流れる流量を変えることができる。ここでは、暖房除湿運転時よりも冷房除湿運転時における絞り通路の断面積を大きくして除湿性能を高めるようにしたので、大きな除湿量を必要とする梅雨時期の除湿性能を高めることができる。
【００２６】
図６は第２の実施の形態に係る双方向絞り付電磁弁の暖房除湿運転時の状態を示す断面図、図７は第２の実施の形態に係る双方向絞り付電磁弁の冷房除湿運転時の状態を示す断面図である。なお、図６および図７において、図３ないし図５に示した構成要素と同じ構成要素には同じ符号を付してそれらの詳細な説明は省略する。
【００２７】
第２の実施の形態に係る双方向絞り付電磁弁では、第１の実施の形態に係る双方向絞り付電磁弁と比較して、除湿絞り装置の構造を変更している。すなわち、固定鉄芯１２の中心の通路２１において、連通孔２２と中空シャフト２４の嵌合部との間に構成される除湿絞り装置は、固定鉄芯１２と一体に形成された突部３２と、突部３３および連通孔３４を有する固定プラグ３５と、突部３２，３３と共同して第１または第２の絞りを形成する可動プラグ３６とを有している。この可動プラグ３６は、図の右側の径が大きく、左側の径が小さく形成されていて、外周には、円周方向に均等配置されたたとえば３個の脚部３７が一体に形成されている。これらの脚部３７は、可動プラグ３６を固定鉄芯１２の通路２１と同一軸線上に位置決めしながら軸線方向に進退可能にしている。
【００２８】
暖房除湿運転をしているときには、図６に示したように、電磁コイル１６は通電されていて、可動鉄芯２６は固定鉄芯１２に吸着されてこれらの間の通路は閉塞される。したがって、図の右側のチューブ２０に導入された冷媒は、可動プラグ３６を図の左方向に移動し、固定鉄芯１２の突部３２と可動プラグ３６との間に環状の第１の絞りを形成する。冷媒は、その第１の絞りにより絞られてチューブ１３へと流れる。
【００２９】
一方、冷房除湿運転の場合は、図７に示したように、電磁コイル１６の通電によって除湿絞り装置のバイパス通路が閉塞されているため、図の左側のチューブ１３に導入された冷媒は、可動プラグ３６を図の右方向に移動し、固定プラグ３５の突部３３と可動プラグ３６との間に、第１の絞りより大きな通路断面積を有する環状の第２の絞りを形成する。冷媒は、その第２の絞りにより絞られてチューブ２０へと流れる。
【００３０】
このように、この除湿絞り装置では、冷媒の流れ方向により可動プラグ３６の位置が変えられ、暖房除湿運転および冷房除湿運転のそれぞれにおいて、最適の冷媒流量を流すようにすることができる。
【００３１】
【発明の効果】
以上説明したように、本発明では、除湿絞り装置の絞り通路を突起からなる円形の穴と円柱形状の棒状部材とを組み合わせて環状の形状になるように構成した。これにより、環状の絞り通路を通過する冷媒の流速が下がり、流動音を低減することができるので、異音発生の少ない室内機を構成できる。
【００３２】
また、暖房除湿運転および冷房除湿運転で冷媒の流れ方向が逆になるが、その冷媒の流れ方向に応じて冷媒流れ方向両端の直径が異なる棒状部材の位置が変わることにより除湿絞り装置の絞り通路の絞り面積を変えるように構成した。これにより、暖房除湿運転および冷房除湿運転で除湿性能を変えることができ、棒状部材が移動することにより冷媒中の異物による絞り通路での詰まりを防止することができる。
【００３３】
さらに、年間を通じて使用頻度の多い暖房運転モードまたは冷房運転モードのときには、非通電の状態で除湿絞り装置が機能しないように構成した。これにより、省動力運転が可能になる。
【００３４】
除湿絞り装置および電磁弁のバイパス路開閉部をパイプ形状のボディ内に収容し、電磁弁の電磁コイルおよびヨークをボディの外に配置し、かつ、ヨークの一部を着脱可能にして、電磁コイルを取り外し可能な構成にした。これにより、故障した場合の電磁コイルの交換を容易にしている。
【図面の簡単な説明】
【図１】第１の実施の形態に係る双方向絞り付電磁弁の概観を示す正面図である。
【図２】第１の実施の形態に係る双方向絞り付電磁弁を示す右側面図である。
【図３】第１の実施の形態に係る双方向絞り付電磁弁の内部構造を示す図２のａ−ａ矢視断面図である。
【図４】第１の実施の形態に係る双方向絞り付電磁弁の暖房除湿運転時の状態を示す断面図である。
【図５】第１の実施の形態に係る双方向絞り付電磁弁の冷房除湿運転時の状態を示す断面図である。
【図６】第２の実施の形態に係る双方向絞り付電磁弁の暖房除湿運転時の状態を示す断面図である。
【図７】第２の実施の形態に係る双方向絞り付電磁弁の冷房除湿運転時の状態を示す断面図である。
【図８】除湿運転が可能な冷凍サイクルを示すシステム図である。
【符号の説明】
１  圧縮機
２  四方弁
３  室外熱交換器
４  膨張弁
５ａ，５ｂ  室内熱交換器
６  双方向絞り付電磁弁
６ａ  除湿絞り装置
６ｂ  電磁弁
１１  ボディ
１２  固定鉄芯
１３  チューブ
１４  プレート
１５  鉄芯
１６  電磁コイル
１７  プレート
１７ａ  鉄芯固定部
１７ｂ  捲回部
１７ｃ  連結部
１８  ねじ
１９  プラグ
２０  チューブ
２１  通路
２２  連通孔
２３  環状通路
２４  中空シャフト
２５  連通孔
２６  可動鉄芯
２７  スプリング
２８  リング
２９  ホルダ
３０  シャフト
３１  スリーブ
３２，３３  突部
３４  連通孔
３５  固定プラグ
３６  可動プラグ
３７  脚部
【図１】
2004183748.tif 000003
【図２】
2004183748.tif 000004
【図３】
2004183748.tif 000005
【図４】
2004183748.tif 000006
【図５】
2004183748.tif 000007
【図６】
2004183748.tif 000008
【図７】
2004183748.tif 000009
【図８】
2004183748.tif 000010